(57)【要約】【課題】  貴重な紙資源を節約することができ、しかも安価且つ容易に組立て可能な蓋付包装部材の提供。【解決手段】  平板状の底板１３と、底板１３の周辺より立ち上げた側壁板１４〜１７と、側壁板１４，１５に底板１３と対向するように支持された頂板１８とをもって中空箱状に形成され、頂板１８に収容物Ａを保持する保持孔２４，２４…を有する収容物保持箱１１と、平板状の基板４０と、基板４０の四辺を囲む前側板４５、背側板４６、左側板４７及び右側板４８とをもって下面が開口した箱状に形成され、側板４７，４８の内側に収容物保持箱１１の上面に当接する段部５３，５３を設けることにより開口部に、収容物保持箱１１が嵌り込む嵌合部５４が形成された蓋箱１２とを備える。【選択図】  図１
2006103711.tif 000002
【特許請求の範囲】
【請求項１】
平板状の底板と、該底板の周辺より立ち上げた側壁板と、該側壁板に前記底板と対向するように支持された頂板とをもって中空箱状に形成され、前記頂板に収容物を保持する保持孔を有する収容物保持箱と、
平板状の基板と、該基板の四辺を囲む前側板、背側板、左側板及び右側板とをもって下面が開口した箱状に形成され、前記側板の内側に前記収容物保持箱の上面に当接する段部を設けることにより前記開口部に、前記収容物保持箱が嵌り込む嵌合部が形成された蓋箱とを備えたことを特徴としてなる蓋付包装材。
【請求項２】
左側板及び右側板は、基板の側辺に折り目を介して連続した外側板と、該外側板の基板とは反対側の縁に折り目を介して一体に形成された内側板と、該内側板の前記外側板とは反対側の縁部に折り目を介して一体に成形された当て止め板と、該当て止め板の前記内側板とは反対側の縁部に折り目を介して一体に成形された内々側板と、その当て止め板とは反対側の縁部に折り目を介して連続させた接着片とをもってそれぞれ構成され、前記内側板を折り目より折り曲げて外側板の内側面に重ね、前記接着片を前記基板の縁部より当て止め板の幅と同一の幅だけ内側にある位置に固着させ、
前記左側板及び右側板の内側に段部を備えた箱状に形成されるようにした請求項１に記載の蓋付包装材。
【請求項３】
蓋箱は、前側板と左側板との側縁間を連結する前左側板間連結板と、前記前側板と右側板との側縁間を連結する前右側板間連結板と、前記背側板と左側板の側縁間を連結する背左側板間連結板と、前記背側板と右側板との側縁間を連結する背右側板間連結板とを備え、
前記前側板及び背側板は、基板の側辺より折り目を介して連続した前側板と、該前側板の基板とは反対側の縁部に折り目又は一定幅を有する額縁板を介して一体に形成された内側板とを備え、前記折り目又は額縁板の側縁を折り目として前記内側板を外側板に重ね合わせるとともに、その側縁基端側より先端縁側に斜めに向けた折り目を形成して該折り目より折り畳まれる逃がし片部を備えた請求項１又は２に記載の蓋付包装材。
【発明の詳細な説明】
【技術分野】
【０００１】
本発明は、主に割れモノやその他の衝撃に弱い収容物等を包装するのに用いられる蓋付包装材に関する。
【背景技術】
【０００２】
贈答品等として用いられる瓶商品や容器入り水菓子等は、衝撃を与えることによって容器を傷つけてしまったり内容物が変形してしまったりするおそれがあるので、包装する際には、見栄え良く、しかも収容物を好適に保持して衝撃を与え難いように包装することが好ましく、このような収容物を収容する際には、例えば、図１０に示すような蓋付包装材が使用されている。
【０００３】
この蓋付包装材１は、上面が開口した箱本体２と、箱本体２の上面を覆う蓋箱３と、箱本体２内に嵌め込まれ、表面部に収容物Ａの形状に合わせた保持用凹部４を有する保持部材５とを備え、収容物Ａを保持部材５に保持させた状態で箱本体２に蓋箱３を被せることにより包装するようになっている。
【０００４】
保持部材５は、図１１に示すように、保持用凹部４が形成された平板状の基板６と、基板６の各辺に折り目７を介して一体に形成された側板８，８…とを備え、各側板８，８…を折り目７より折曲げ、箱本体２内に嵌め込むようになっている。
【特許文献１】特開２００２−２６８０号公報
【発明の開示】
【発明が解決しようとする課題】
【０００５】
しかし、上述の如き従来の技術では、保持部材を別途用意する必要があるため、部品点数が増加して材料費及び製造（組立て）コストが嵩むという問題があり、また、貴重な紙資源を浪費することにもなる。
【０００６】
そこで本発明は、上述の従来技術の問題を鑑み、貴重な紙資源を節約することができ、しかも安価且つ容易に組立て可能な蓋付包装部材の提供を目的とする。
【課題を解決するための手段】
【０００７】
上述の如き従来の問題を解決し、所期の目的を達成するための請求項１に記載の発明は、平板状の底板と、該底板の周辺より立ち上げた側壁板と、該側壁板に前記底板と対向するように支持された頂板とをもって中空箱状に形成され、前記頂板に収容物を保持する保持孔を有する収容物保持箱と、
平板状の基板と、該基板の四辺を囲む前側板、背側板、左側板及び右側板とをもって下面が開口した箱状に形成され、前記側板の内側に前記収容物保持箱の上面に当接する段部を設けることにより前記開口部に、前記収容物保持箱が嵌り込む嵌合部が形成された蓋箱とを備えた蓋付包装材であることを特徴とする。
【０００８】
請求項２に記載の発明は、請求項１の構成に加え、左側板及び右側板は、基板の側辺に折り目を介して連続した外側板と、該外側板の基板とは反対側の縁に折り目を介して一体に形成された内側板と、該内側板の前記外側板とは反対側の縁部に折り目を介して一体に成形された当て止め板と、該当て止め板の前記内側板とは反対側の縁部に折り目を介して一体に成形された内々側板と、その当て止め板とは反対側の縁部に折り目を介して連続させた接着片とをもってそれぞれ構成され、前記内側板を折り目より折り曲げて外側板の内側面に重ね、前記接着片を前記基板の縁部より当て止め板の幅と同一の幅だけ内側にある位置に固着させ、前記左側板及び右側板の内側に段部を備えた箱状に形成されるようにしたことを特徴とする。
【０００９】
請求項３に記載の発明は、請求項１又は２の構成に加え、蓋箱は、前側板と左側板との側縁間を連結する前左側板間連結板と、前記前側板と右側板との側縁間を連結する前右側板間連結板と、前記背側板と左側板の側縁間を連結する背左側板間連結板と、前記背側板と右側板との側縁間を連結する背右側板間連結板とを備え、
前記前側板及び背側板は、基板の側辺より折り目を介して連続した前側板と、該前側板の基板とは反対側の縁部に折り目又は一定幅を有する額縁板を介して一体に形成された内側板とを備え、前記折り目又は額縁板の側縁を折り目として前記内側板を外側板に重ね合わせるとともに、その側縁基端側より先端縁側に斜めに向けた折り目を形成して該折り目より折り畳まれる逃がし片部を備えたことを特徴とする。
【発明の効果】
【００１０】
本発明に係る蓋付包装材は、平板状の底板と、該底板の周辺より立ち上げた側壁板と、該側壁板に前記底板と対向するように支持された頂板とをもって中空箱状に形成され、前記頂板に収容物を保持する保持孔を有する収容物保持箱と、平板状の基板と、該基板の四辺を囲む前側板、背側板、左側板及び右側板とをもって下面が開口した箱状に形成され、前記側板の内側に前記収容物保持箱の上面に当接する段部を設けることにより前記開口部に、前記収容物保持箱が嵌り込む嵌合部が形成された蓋箱とを備えたことによって、部品点数が少なく、材料費や組立て費用等のコストが低減される。また、資源の浪費を抑え、環境にやさしい。
【００１１】
左側板及び右側板は、基板の側辺に折り目を介して連続した外側板と、該外側板の基板とは反対側の縁に折り目を介して一体に形成された内側板と、該内側板の前記外側板とは反対側の縁部に折り目を介して一体に成形された当て止め板と、該当て止め板の前記内側板とは反対側の縁部に折り目を介して一体に成形された内々側板と、その当て止め板とは反対側の縁部に折り目を介して連続させた接着片とをもってそれぞれ構成され、前記内側板を折り目より折り曲げて外側板の内側面に重ね、前記接着片を前記基板の縁部より当て止め板の幅と同一の幅だけ内側にある位置に固着させ、前記左側板及び右側板の内側に段部を備えた箱状に形成されるようにしたことによって、好適に段部を形成することができる。
【００１２】
蓋箱は、前側板と左側板との側縁間を連結する前左側板間連結板と、前記前側板と右側板との側縁間を連結する前右側板間連結板と、前記背側板と左側板の側縁間を連結する背左側板間連結板と、前記背側板と右側板との側縁間を連結する背右側板間連結板とを備え、
前記前側板及び背側板は、基板の側辺より折り目を介して連続した前側板と、該前側板の基板とは反対側の縁部に折り目又は一定幅を有する額縁板を介して一体に形成された内側板とを備え、前記折り目又は額縁板の側縁を折り目として前記内側板を外側板に重ね合わせるとともに、その側縁基端側より先端縁側に斜めに向けた折り目を形成して該折り目より折り畳まれる逃がし片部を備えたことによって、容易に組立て及び解体をすることができる。
【発明を実施するための最良の形態】
【００１３】
次に、本発明に係る蓋付包装材に関し、図１〜図９について説明する。
【００１４】
図１、図２は、蓋付包装材１０の実施の一例を示し、図中符号１１は収容物保持箱、符号１２は蓋箱、符号Ａは収容物たる容器入り水菓子である。
【００１５】
この蓋付包装材１０は、収容物Ａを保持する収容物保持箱１１と、収容物保持箱１１を覆う蓋箱１２とを備え、収容物Ａを保持した収容物保持箱１１を蓋箱１２により覆うことによって収容物Ａを包装するようになっている。
【００１６】
収容物保持箱１１は、図３に示すように、矩形の底板１３と、底板１３の四辺より立ち上げた側壁板１４〜１７と、側壁板１４，１５に底板１３と対向配置となるように支持された頂板１８とを備え、ボール紙板又は段ボール紙板等の板材を図４に示す展開図のように打ち抜き、それを折曲加工することにより形成されている。
【００１７】
底板１３の前側辺には、折り目１９を介して前側壁板１４が連続して形成され、その前側壁板１４の底板１３とは反対側の縁部には折り目２０を介して頂板１８が一体に形成され、頂板１８の前側壁板１４とは反対側の縁部には、折り目２１を介して背側壁板１５が一体に形成されている。
【００１８】
また、底板１３の背側辺には、背側壁板１５の内側に重なり合って貼り合わされる接着板２２が折り目２３を介して一体に形成されており、前側壁板１４、頂板１８、背側壁板１５及び接着板２２を折り目より折り曲げ、背側壁板１５と接着板２２とを重ね合わせて貼り合せることにより底板１３、前側壁板１４、頂板１８及び背側壁板１５により角筒状に形成される。
【００１９】
頂板１８には、収容物Ａの形状に合わせて形成された保持孔２４，２４…を備え、この保持孔２４に収容物Ａの一部が嵌り込むことにより収容物保持箱１１に収容物Ａが保持されるようになっている。
【００２０】
また、前側壁板１４及び背側壁板１５の側縁には、折り目２５を介して折入片２６，２６が一体に形成され、折り目２５より内側に折り曲げられ、左側壁板１６及び右側壁板１７の内側に折り入れられるようになっている。
【００２１】
左側壁板１６及び右側壁板１７は、それぞれ底板１３の側縁に折り目２７，２８を介して一体に形成され、その底板１３とは反対側の縁部には、それぞれ折り目２９を介して挿入片３０が一体に形成され、左側壁板１６及び右側壁板１７を折り目より折り曲げ、挿入片３０を頂板１８の裏面に係止させることにより、左側及び右側に形成された開口部が左側壁板１６及び右側壁板１７によって閉鎖されるようになっている。
【００２２】
蓋箱１２は、図５に示すように、四角形の基板４０と、基板４０の前背左右の縁部にそれぞれ折り目４１〜４４を介して一体に形成された前側板４５、背側板４６、左側板４７及び右側板４８と、前側板４５と左側板４７の各側辺部を連結する前左側板間連結板４９と、前側板４５と右側板４８の各側辺部を連結する前右側板間連結板５０と、背側板４６と左側板４７の各側辺部を連結する背左側板間連結板５１と、背側板４６と右側板４８の各側辺部を連結する背右側板間連結板５２とを備え、厚板紙、段ボール板材等の板状材を図６に示す展開図のように打抜き、それを折曲加工することにより、左右側板４７，４８の内側に段部５３，５３を備え、下面が開口した箱状に形成されている。
【００２３】
また、この蓋箱１２には、左側板４７及び右側板４８の内側に段部５３，５３を有することにより開口部に収容物保持箱１１が嵌り込む嵌合部５４が形成されている。
【００２４】
前側板４５は、基板４０と折り目４１を介して連続した前外側板５５と、その折り目４１とは反対側の縁部に折り目５６を介して一体に成形された前内側板５７とをもって構成され、前内側板５７を折り目５６より折り曲げて前外側板５５の内側面に重ね合わせ、その重ねられた両板５５，５７の中央部分を接着剤により固着させている。
【００２５】
背側板４６は、それぞれ基板４０と折り目４２を介して連続した背外側板５８と、その折り目４２とは反対側の縁部に折り目５９を介して一体に成形された背内側板６０とをもって構成され、背内側板６０を折り目５９より折り曲げて背外側板５８の内側面に重ね合わせ、その重ねられた両板の中央部分を接着剤により固着させている。
【００２６】
前外側板５５と前内側板５７（背外側板５８と背内側板６０）は、ともに略同形の長方形状に形成され、前背内側板５７，６０には、その側縁基端側より先端縁側に斜めに向けた折り目６１，６１を形成して該折り目６１より折り畳まれる逃がし片部６２を備えている。
【００２７】
また、前内側板５７及び背内側板６０の外側板とは反対側の縁部には、折り目を介して一体に直角規制片６３が備えられている。
【００２８】
左側板４７は、基板４０と折り目４３を介して連続した左外側板６４と、その折り目４３とは反対側の縁部に折り目６５を介して一体に成形された左内側板６６と、左内側板６６の折り目６５とは反対側の縁部に折り目６７を介して一体に成形された当て止め板６８と、その折り目６７とは反対側の縁部に折り目６９を介して一体に成形された左内々側板７０とをもって構成されている。
【００２９】
右側板４８は、基板４０と折り目４４を介して連続した右外側板７１と、その折り目４４とは反対側の縁部に折り目７２を介して一体に成形された右内側板７３と、右内側板７３の折り目７２とは反対側の縁部に折り目７４を介して一体に成形された当て止め板７５と、その折り目７４とは反対側の縁部に折り目７６を介して一体に成形された右内々側板７７とをもって構成されている。
【００３０】
また、左右内々側板７０，７７の当て止め板６８，７５とは反対側の縁部には、接着片７８，７９が折り目８０，８１を介して一体に成形されている。
【００３１】
左外側板６４及び右外側板７１は、長方形状に形成され、その両側辺の長さが前背外側板５５，５８のそれと同じ長さとなっている。
【００３２】
また、左右内側板６６，７３及び左右内々側板７０，７７は長方形状に形成され、その両側辺の長さは、内側板と内々側板の側辺の長さを足した長さが外側板の側辺の長さと同じになるようになっている。また、内側面の側辺の長さは、嵌合部に嵌め込まれる収容物保持箱１１の高さによって決められる。
【００３３】
左内側板６６及び右内側板７３は、折り目６５，７２を介して折り曲げられてそれぞれ外側板６４，７１に重ね合わされ、その重ね合わされた両板を接着剤により固着させる。
【００３４】
上述の如く左右内側板６６，７３を左右外側板６４，７１に重ね合わせると、内々側板７０，７７の縁部は当て止め板６８，７５の幅分だけ基板４０に重なり、その位置で接着片７８，７９を基板４０に接着剤により固着させる。
【００３５】
このように接着片７８，７９を基板４０に固定したことで、外側板６４，７１、当て止め板６８，７５、内々側板７０，７７及び基板４０が折り目を各節部としたリンク機構的構造を構成し、左側板４７及び右側板４８を垂直に立ち上げると、図７に示すように、左側板４７及び右側板４８の内面部に段部５３が形成され、更に、左側板４７及び右側板４８を基板４０側に重ねて折り畳むと、内側板６６，７３、当て止め板６８，７５及び内々側板７０，７７がＺ字状に重なり合うようになっている。
【００３６】
前左側板間連結板４９、前右側板間連結板５０、背左側板間連結板５１及び背右側板間結板５２は、それぞれ折り目８２を介して固定部８３と可動部８４とから構成され、固定部８３は、接着剤をもって前背外側板５５，５８の内面に接着されるようになっている。
【００３７】
この蓋箱１２を組立てるには、まず、図８（ａ）〜（ｂ）に示すように、折り目６５，７２に沿って左右内側板６６，７３、当て止め板６８，７５、内々側板７０，７７を内側に折り、重なり合った左内側板６６と左外側板６４、右内側板７３と右外側板７１とをホットメルト等の接着剤をもって貼着させるとともに、この状態で、左右内々側板７０，７７の縁部が当て止め板６８，７５の幅だけ基板４０の外縁より内側に位置するので、そこで接着片７８，７９を基板４０に接着剤により固着させる。
【００３８】
次に、図８（ｂ）〜（ｃ）に示すように、折り目４３，４４に沿って左右側板４７，４８を内側に折り、そのとき一緒に折られる各連結板４９，５０，５１，５２の固定部８３を前背外側板５５，５８の重なり合った部分に接着剤をもって貼着させる。こうすることにより、前背側板４５，４６を立ち上げると貼着された連結板４９，５０，５１，５２に連動して左右側板４７，４８も立ち上がるようになっている。
【００３９】
そして、図８（ｃ）〜（ｄ）に示すように、前内側板５７を折り目５６に沿って折り、前外側板５５に重ね合わせ、重なり合った前内側板５７と前外側板５５の中央部分を貼着させ、背内側板６０を同様に折り目５９に沿って折り、背外側板５８に重ね合わせ、重なり合った背内側板６０と背外側板５８の中央部分を貼着させる。
【００４０】
これで一次組立が終了し、組立中間部材が形成され、この状態で、運搬や保管等を行えば、平板状であるので重ねても嵩張らず効率がよい。
【００４１】
次に、この組立中間部材を図９（ｅ）〜（ｆ）に示すように、前側板４５及び背側板４６を立ち上げると、各連結板４９，５０，５１，５２が連動して、左右側板４７，４８も立ち上がる。このとき逃がし片部６２，６２を立ち上げておくことにより、連結板４９，５０，５１，５２が前背内側板５７，６０に邪魔されずに好適に作動する。
【００４２】
そして、図９（ｇ）に示すように、逃がし片部６２，６２を元に戻して、前背内側板５７，６０の各側縁を左右側板４７，４８の内面に係合させるとともに、直角規制片６３，６３を基板４０に対して当接させることによって開口部に嵌合部５４が形成された蓋箱１２が完成する。
【００４３】
この蓋箱１２に対し、収容物保持箱１１が、嵌合部５４に嵌り込み、即ち内側面に突出された段部５３，５３によってその上縁部が当て止めされ、下端面が蓋箱１２の下端面よりも内側に入り込まないようになっている。
【００４４】
尚、上述の実施例では、収容物が容器入り水菓子である場合について説明したが、保持孔２４の形状を収容物の形状に合わせて形成することにより、酒瓶、缶詰、果物その他様々な収容物を収容することができる。
【図面の簡単な説明】
【００４５】
【図１】本発明に係る蓋付包装材を示す断面図である。
【図２】同上の蓋付包装材を示す分解斜視図である。
【図３】図１中の収容物保持箱を示す斜視図である。
【図４】同上の収容物保持箱の展開図である。
【図５】図１中の蓋箱を示す斜視図である。
【図６】同上の蓋箱の展開図である。
【図７】同上の蓋箱の左(右)側板を示す部分拡大断面図である。
【図８】同上の蓋箱の中間組立て工程の状態を示す斜視図である。
【図９】同上の蓋箱の製箱工程の状態を示す斜視図である。
【図１０】従来の蓋付包装材の一例を示す斜視図である。
【図１１】同上の保持部材の展開図である。
【符号の説明】
【００４６】
Ａ  収容物
１０  蓋付包装材
１１  収容物保持箱
１２  蓋箱
１３  底板
１４  前側壁板
１５  背側壁板
１６  左側壁板
１７  右側壁板
１８  頂板
１９〜２１  折り目
２２  接着板
２３  折り目
２４  保持孔
２５  折り目
２６  折入片
２７，２８  折り目
２９  折り目
３０  挿入片
４０  基板
４１〜４４  折り目
４５  前側板
４６  背側板
４７  左側板
４８  右側板
４９  前左側板間連結板
５０  前右側板間連結板
５１  背左側板間連結板
５２  背右側板間連結板
５３  段部
５４  嵌合部
５５  前外側板
５６  折り目
５７  前内側板
５８  背外側板
５９  折り目
６０  背内側板
６１  折り目
６２  逃がし片部
６３  直角規制片
６４  左外側板
６５  折り目
６６  左内側板
６７  折り目
６８  当て止め板
６９  折り目
７０  左内々側板
７１  右外側板
７２  折り目
７３  右内側板
７４  折り目
７５  当て止め板
７６  折り目
７７  右内々側板
７８，７９  接着片
８０，８１  折り目
８２  折り目
８３  固定部
８４  可動部
【図１】
2006103711.tif 000003
【図２】
2006103711.tif 000004
【図３】
2006103711.tif 000005
【図４】
2006103711.tif 000006
【図５】
2006103711.tif 000007
【図６】
2006103711.tif 000008
【図７】
2006103711.tif 000009
【図８】
2006103711.tif 000010
【図９】
2006103711.tif 000011
【図１０】
2006103711.tif 000012
【図１１】
2006103711.tif 000013